(57)【要約】【課題】エリア限定放送の利用者を増加させるとともに、利用者にエリア限定情報を迅速に視聴させるエリア限定放送システムを提供すること。【解決手段】エリア限定放送システム１は、エリア情報を放送する放送波送出装置１０と、利用者が携帯可能でありかつエリア情報を受信して表示可能な放送受信装置４０と、を備える。放送受信装置４０は、近距離無線通信可能である。エリア限定放送システム１は、エリア情報が放送中であることを示す放送実施情報およびパラメータ情報を、放送受信装置４０に対して近距離無線通信により送出する無線通信装置２０〜２４をさらに備える。放送受信装置４０は、無線通信装置２０〜２４から放送実施情報およびパラメータ情報を自動的に受信し、エリア情報が放送中である旨を利用者に告知するとともに、パラメータ情報に基づいて自動的にエリア情報が放送される周波数を選局して、エリア情報を利用者に視聴させる。【選択図】図１
2009171149.tif 000002
【特許請求の範囲】
【請求項１】
第１エリア内で、当該第１エリアに関連するエリア情報を所定の周波数で放送する放送波送出装置と、
前記第１エリア内に設けられて、前記エリア情報が放送中であることを示す放送実施情報および前記エリア情報が放送される周波数に関連するパラメータ情報を提供する提供装置と、
前記エリア情報を受信し、前記提供装置から提供された放送実施情報およびパラメータ情報を取得し、前記エリア情報が放送中である旨を利用者に告知するとともに、前記パラメータ情報に基づいて自動的に前記エリア情報が放送される周波数を選局する放送受信装置と、を備えることを特徴とするエリア限定放送システム。
【請求項２】
前記第１エリア内には、当該第１エリアよりも狭い第２エリアが複数設けられ、
前記放送波送出装置は、前記複数の第２エリアのそれぞれに応じたエリア情報を複数生成し、当該複数のエリア情報を多重化して放送することを特徴とする請求項１に記載のエリア限定放送システム。
【請求項３】
前記提供装置は、前記第２エリアのそれぞれに対応して複数設けられて、それぞれ、当該第２エリアのエリア情報についての放送実施情報およびパラメータ情報を提供し、
前記放送受信装置は、前記第２エリアの放送実施情報およびパラメータ情報を取得し、前記第２エリアのエリア情報が放送中である旨を利用者に告知するとともに、前記パラメータ情報に基づいて自動的に前記第２エリアのエリア情報が放送される周波数を選局して、前記第２エリアのエリア情報を利用者に視聴させることを特徴とする請求項２に記載のエリア限定放送システム。
【請求項４】
前記放送波送出装置は、ＩＳＤＢ−Ｔ方式の１チャンネル内で１３個に分割されたセグメントを利用して、セグメントごとに前記第２エリアの複数のエリア情報を割り当てて放送することを特徴とする請求項２または３に記載のエリア限定放送システム。
【請求項５】
前記放送波送出装置は、前記複数の第２エリアについてのエリア情報をファイル毎に分類し、当該分類したファイルを識別するためのファイル識別コードを添付して、蓄積型放送として送出し、
前記複数の提供装置は、それぞれ、前記パラメータ情報にファイル識別コードを添付して提供し、
前記放送受信装置は、前記第２エリアの放送実施情報およびパラメータ情報に加えて前記ファイル識別コードを取得し、前記第２エリアのエリア情報が放送中である旨を利用者に告知するとともに、
前記パラメータ情報に基づいて自動的に前記蓄積型放送の周波数を選局して、前記蓄積型放送を受信して記憶しておき、
前記ファイル識別コードを用いて、記憶した蓄積型放送の中からファイルを選択して、当該選択したファイルを利用者に視聴させることを特徴とする請求項２から４のいずれかに記載のエリア限定放送システム。
【請求項６】
前記提供装置は、それぞれ、当該第２エリアのエリア情報だけでなく、残るエリアのエリア情報についてのパラメータ情報を提供し、
前記放送受信装置は、前記第２エリアの放送実施情報およびパラメータ情報だけでなく、残るエリアのエリア情報についてのパラメータ情報を取得し、前記第２エリアのエリア情報が放送中である旨を利用者に告知するとともに、取得した全てのパラメータ情報を記憶しておき、
前記複数の第２エリアのうちの残りに入ることにより、あるいは、利用者の操作により、記憶したパラメータ情報に基づいて、任意の第２エリアについてのエリア情報が放送される周波数を選局して、前記第２エリアのエリア情報を利用者に視聴させることを特徴とする請求項２から４のいずれかに記載のエリア限定放送システム。
【請求項７】
前記放送波送出装置は、施設予約に関する情報を施設予約情報として記憶するデータ放送情報ＤＢと、当該データ放送情報ＤＢに記憶された施設予約情報をデータ放送として放送波に多重化する多重化部と、を備え、
前記放送受信装置は、前記施設予約情報を受信可能であり、
利用者が前記施設予約情報に基づいて、施設を予約可能であることを特徴とする請求項１から６のいずれかに記載のエリア限定放送システム。
【請求項８】
前記放送波送出装置は、施設ごとに入場可能な時刻を入場予約時刻として設定し、時刻情報に基づいて、前記入場予約時刻を更新する入場予約時間設定部を備え、
前記データ放送情報ＤＢは、入場予約時刻を記憶し、前記入場予約時刻設定部で設定された入場予約時刻により、前記記憶した入場予約時刻を定期的に書き換えることを特徴とする請求項７に記載のエリア限定放送システム。
【請求項９】
前記放送受信装置は、利用者が予約した施設および入場予約時刻を示す施設予約画像を記憶するデータ放送保存メモリを備え、
当該データ放送用保存メモリに保存された施設予約画像が提示されると、当該施設予約画像を提示した利用者について、当該施設への入場を許可することを特徴とする請求項７または８に記載のエリア限定放送システム。
【請求項１０】
前記放送受信装置は、利用者が前記施設予約情報を受信すると、前記データ放送保存メモリに保存された施設予約画像の入場予約時刻を更新することを特徴とする請求項９に記載のエリア限定放送システム。
【請求項１１】
前記提供装置および前記放送受信装置は、無線通信機能を有することを特徴とする請求項１から１０いずれかに記載のエリア限定放送システム。
【請求項１２】
前記提供装置は、光学的に読み取り可能な符号を掲示するものであり、
前記放送受信装置は、撮影機能を有することを特徴とする請求項１から１０いずれかに記載のエリア限定放送システム。
【請求項１３】
前記放送波送出装置は、情報をスクランブル処理するスクランブル処理部を備え、
前記放送受信装置は、スクランブル解除のためのスクランブル鍵情報を記憶する専用情報メモリと、当該専用情報メモリに記憶したスクランブル鍵情報に基づいて、受信したスクランブル放送のスクランブルを解除するスクランブル解除部と、を備え、
前記提供装置は、スクランブル鍵情報を記憶するスクランブル情報メモリを備え、
前記放送受信装置からの指令に基づいて、前記スクランブル情報メモリに記憶したスクランブル鍵情報を放送受信装置に提供することを特徴とする請求項１１に記載のエリア限定放送システム。
【請求項１４】
前記放送波送出装置は、情報をスクランブル処理するスクランブル処理部と、会員の情報を会員情報として記憶する会員情報ＤＢと、前記放送受信装置から受信した会員情報を前記会員情報ＤＢに記憶した会員情報と照合し、会員であるか否かを判定する会員情報判定部と、を備え、
前記放送受信装置は、スクランブル解除のためのスクランブル鍵情報および会員情報を記憶する会員専用情報メモリと、当該会員専用情報メモリに記憶したスクランブル鍵情報に基づいて、受信したスクランブル放送のスクランブルを解除するスクランブル解除部と、を備え、
前記提供装置は、スクランブル鍵情報を記憶するスクランブル情報メモリを備え、
前記放送受信装置と交信することにより、会員情報を取得し、この取得した会員情報を前記放送波送出装置に転送し、前記放送波送出装置の会員情報判定部により会員であると判定された場合のみ、前記スクランブル情報メモリに記憶したスクランブル鍵情報を放送受信装置に提供することを特徴とする請求項１３に記載のエリア限定放送システム。
【請求項１５】
前記放送波送出装置および放送受信装置の会員情報は、会員または当該会員の携帯する放送受信装置を特定する会員特定情報と、会員の利用回数、通信装置との通信回数、およびエリア情報の視聴回数を含む会員利用情報とで構成され、
前記放送波送出装置は、前記提供装置を介して、前記放送受信装置から会員情報を取得し、判定手段により会員であると判定した場合のみ、取得した会員利用情報に基づいて、会員情報ＤＢの会員利用情報を書き換え、
前記放送受信装置は、スクランブル鍵情報を受信したり、放送波送出装置からの放送波を受信して利用者に視聴させたりすると、会員専用情報メモリの会員利用情報を書き換えることを特徴とする請求項１４に記載のエリア限定放送システム。
【請求項１６】
第１エリア内で、所定の周波数で放送される当該第１エリアに関連するエリア情報を受信し、
前記第１エリア内で提供される、前記エリア情報が放送中であることを示す放送実施情報および前記エリア情報が放送される周波数に関連するパラメータ情報を取得し、前記エリア情報が放送中である旨を利用者に告知するとともに、前記パラメータ情報に基づいて自動的に前記エリア情報が放送される周波数を選局することを特徴とする放送受信装置。
【発明の詳細な説明】
【技術分野】
【０００１】
本発明は、エリア限定放送システムに関する。より詳しくは、特定のエリア内で放送を行うエリア限定放送システムに関する。
【背景技術】
【０００２】
従来より、地域を数ｋｍ圏の特定のエリアに分割して、これら分割したエリア毎に、当該エリアに特化したコンテンツを放送するエリア限定放送サービスが提案されている（特許文献１参照）。この提案では、ワンセグ放送やデジタルラジオ放送の周波数帯域を利用して、放送が行われる。
【０００３】
このようなエリア限定放送サービスでは、以下の手順で、利用者がコンテンツを視聴する。すなわち、エリア内では、場内放送や看板により、そのエリアに関するコンテンツを放送中である旨の告知が行われており、利用者は、エリア限定放送を受信可能な放送受信装置を所持している。この利用者がエリア内に入ると、エリア内の看板や場内放送により、利用者は、その特定のエリアに関するコンテンツが放送されていることを認識する。次に、この利用者は、放送受信機の電源を入れ、エリア限定放送の周波数をサーチして、チャンネルを合わせる。これにより、利用者は、放送受信装置によりエリア限定放送を受信して、コンテンツを視聴できる。
【特許文献１】特開２００７−２９５３４１号公報
【発明の開示】
【発明が解決しようとする課題】
【０００４】
しかしながら、以上のようなエリア限定放送サービスでは、エリア内の看板や場内放送などにより、利用者に対してエリア限定放送が行われていることを告知しなければ、利用者にコンテンツを視聴させることができない。さらに、エリア限定放送がデジタル放送である場合には、チャンネル情報や伝送パラメータ情報を利用者に告知しなければならない場合がある。よって、従来では、エリア限定放送を受信できる利用者が限られる、という問題がある。
【０００５】
また、エリア限定情報が放送されている周波数を利用者が自らサーチ操作するため、ユーザが特定のエリアに入ってから、その特定のエリアのエリア限定情報を視聴するまでに時間がかかっていた。
【０００６】
また、現在、テレビ放送がアナログ方式からデジタル方式に移行しつつあり、２０１１年には、アナログ方式によるテレビ放送が完全に終了する予定である。すると、アナログ方式で利用されていた周波数帯域が空くため、この周波数帯域を利用して、エリア限定放送サービスが急速に普及すると予想される。これにより、特許文献１で示されたエリアよりもさらに狭いエリア、例えば、商店街、大型店舗、テーマパーク、美術館、および水族館などの特定のエリアにおいて、利用案内や展示品の紹介などのコンテンツを放送する放送サービスが展開されると予測される。
したがって、エリア限定放送サービスが普及することにより、上述のような課題がより顕在化すると予想される。
【０００７】
本発明は、エリア限定放送の利用者を増加させるとともに、利用者にエリア限定情報を迅速に視聴させるエリア限定放送システムを提供することを目的とする。
【課題を解決するための手段】
【０００８】
本発明のエリア限定放送システムは、第１エリア内で、当該第１エリアに関連するエリア情報を所定の周波数で放送する放送波送出装置と、前記第１エリア内に設けられて、前記エリア情報が放送中であることを示す放送実施情報および前記エリア情報が放送される周波数に関連するパラメータ情報を提供する提供装置と、前記エリア情報を受信し、前記提供装置から提供された放送実施情報およびパラメータ情報を取得し、前記エリア情報が放送中である旨を利用者に告知するとともに、前記パラメータ情報に基づいて自動的に前記エリア情報が放送される周波数を選局する放送受信装置と、を備えることを特徴とする。
【０００９】
この場合、前記第１エリア内には、当該第１エリアよりも狭い第２エリアが複数設けられ、前記放送波送出装置は、前記複数の第２エリアのそれぞれに応じたエリア情報を複数生成し、当該複数のエリア情報を多重化して放送することが好ましい。
【００１０】
この場合、前記提供装置は、前記第２エリアのそれぞれに対応して複数設けられて、それぞれ、当該第２エリアのエリア情報についての放送実施情報およびパラメータ情報を提供し、前記放送受信装置は、前記第２エリアの放送実施情報およびパラメータ情報を取得し、前記第２エリアのエリア情報が放送中である旨を利用者に告知するとともに、前記パラメータ情報に基づいて自動的に前記第２エリアのエリア情報が放送される周波数を選局して、前記第２エリアのエリア情報を利用者に視聴させることが好ましい。
【００１１】
この場合、前記放送波送出装置は、ＩＳＤＢ−Ｔ方式の１チャンネル内で１３個に分割されたセグメントを利用して、セグメントごとに前記第２エリアの複数のエリア情報を割り当てて放送することが好ましい。
【００１２】
この場合、前記放送波送出装置は、前記複数の第２エリアについてのエリア情報をファイル毎に分類し、当該分類したファイルを識別するためのファイル識別コードを添付して、蓄積型放送として送出し、前記複数の提供装置は、それぞれ、前記パラメータ情報にファイル識別コードを添付して提供し、前記放送受信装置は、前記第２エリアの放送実施情報およびパラメータ情報に加えて前記ファイル識別コードを取得し、前記第２エリアのエリア情報が放送中である旨を利用者に告知するとともに、前記パラメータ情報に基づいて自動的に前記蓄積型放送の周波数を選局して、前記蓄積型放送を受信して記憶しておき、前記ファイル識別コードを用いて、記憶した蓄積型放送の中からファイルを選択して、当該選択したファイルを利用者に視聴させることが好ましい。
【００１３】
この場合、前記提供装置は、それぞれ、当該第２エリアのエリア情報だけでなく、残るエリアのエリア情報についてのパラメータ情報を提供し、前記放送受信装置は、前記第２エリアの放送実施情報およびパラメータ情報だけでなく、残るエリアのエリア情報についてのパラメータ情報を取得し、前記第２エリアのエリア情報が放送中である旨を利用者に告知するとともに、取得した全てのパラメータ情報を記憶しておき、前記複数の第２エリアのうちの残りに入ることにより、あるいは、利用者の操作により、記憶したパラメータ情報に基づいて、任意の第２エリアについてのエリア情報が放送される周波数を選局して、前記第２エリアのエリア情報を利用者に視聴させることが好ましい。
【００１４】
この場合、前記放送波送出装置は、施設予約に関する情報を施設予約情報として記憶するデータ放送情報ＤＢと、当該データ放送情報ＤＢに記憶された施設予約情報をデータ放送として放送波に多重化する多重化部と、を備え、前記放送受信装置は、前記施設予約情報を受信可能であり、利用者が前記施設予約情報に基づいて、施設を予約可能であることが好ましい。
【００１５】
この場合、前記放送波送出装置は、施設ごとに入場可能な時刻を入場予約時刻として設定し、時刻情報に基づいて、前記入場予約時刻を更新する入場予約時間設定部を備え、前記データ放送情報ＤＢは、入場予約時刻を記憶し、前記入場予約時刻設定部で設定された入場予約時刻により、前記記憶した入場予約時刻を定期的に書き換えることが好ましい。
【００１６】
この場合、前記放送受信装置は、利用者が予約した施設および入場予約時刻を示す施設予約画像を記憶するデータ放送保存メモリを備え、当該データ放送用保存メモリに保存された施設予約画像が提示されると、当該施設予約画像を提示した利用者について、当該施設への入場を許可することが好ましい。
【００１７】
この場合、前記放送受信装置は、利用者が前記施設予約情報を受信すると、前記データ放送保存メモリに保存された施設予約画像の入場予約時刻を更新することが好ましい。
【００１８】
この場合、前記提供装置および前記放送受信装置は、無線通信機能を有することが好ましい。
【００１９】
この場合、前記提供装置は、光学的に読み取り可能な符号を掲示するものであり、前記放送受信装置は、撮影機能を有することが好ましい。
【００２０】
この場合、前記放送波送出装置は、情報をスクランブル処理するスクランブル処理部を備え、前記放送受信装置は、スクランブル解除のためのスクランブル鍵情報を記憶する専用情報メモリと、当該専用情報メモリに記憶したスクランブル鍵情報に基づいて、受信したスクランブル放送のスクランブルを解除するスクランブル解除部と、を備え、前記提供装置は、スクランブル鍵情報を記憶するスクランブル情報メモリを備え、前記放送受信装置からの指令に基づいて、前記スクランブル情報メモリに記憶したスクランブル鍵情報を放送受信装置に提供することが好ましい。
【００２１】
この場合、前記放送波送出装置は、情報をスクランブル処理するスクランブル処理部と、会員の情報を会員情報として記憶する会員情報ＤＢと、前記放送受信装置から受信した会員情報を前記会員情報ＤＢに記憶した会員情報と照合し、会員であるか否かを判定する会員情報判定部と、を備え、前記放送受信装置は、スクランブル解除のためのスクランブル鍵情報および会員情報を記憶する会員専用情報メモリと、当該会員専用情報メモリに記憶したスクランブル鍵情報に基づいて、受信したスクランブル放送のスクランブルを解除するスクランブル解除部と、を備え、前記提供装置は、スクランブル鍵情報を記憶するスクランブル情報メモリを備え、前記放送受信装置と交信することにより、会員情報を取得し、この取得した会員情報を前記放送波送出装置に転送し、前記放送波送出装置の会員情報判定部により会員であると判定された場合のみ、前記スクランブル情報メモリに記憶したスクランブル鍵情報を放送受信装置に提供することが好ましい。
【００２２】
この場合、前記放送波送出装置および放送受信装置の会員情報は、会員または当該会員の携帯する放送受信装置を特定する会員特定情報と、会員の利用回数、通信装置との通信回数、およびエリア情報の視聴回数を含む会員利用情報とで構成され、前記放送波送出装置は、前記提供装置を介して、前記放送受信装置から会員情報を取得し、判定手段により会員であると判定した場合のみ、取得した会員利用情報に基づいて、会員情報ＤＢの会員利用情報を書き換え、前記放送受信装置は、スクランブル鍵情報を受信したり、放送波送出装置からの放送波を受信して利用者に視聴させたりすると、会員専用情報メモリの会員利用情報を書き換えることが好ましい。
【００２３】
本発明の放送受信装置は、第１エリア内で、所定の周波数で放送される当該第１エリアに関連するエリア情報を受信し、前記第１エリア内で提供される、前記エリア情報が放送中であることを示す放送実施情報および前記エリア情報が放送される周波数に関連するパラメータ情報を取得し、前記エリア情報が放送中である旨を利用者に告知するとともに、前記パラメータ情報に基づいて自動的に前記エリア情報が放送される周波数を選局することを特徴とする。
【発明の効果】
【００２４】
本発明によれば、放送波送出装置、放送受信装置、提供装置を設けた。これにより、利用者にエリア情報が放送中であることを告知できるうえに、放送受信装置の電源をオンして、エリア情報が放送される周波数のサーチ操作を行わなくても、自動でエリア情報の放送を受信できる。よって、エリア限定放送の利用者を増加できるとともに、利用者にエリア情報を迅速に視聴させることができる。その結果、利用者は視聴したエリア情報に基づいて行動できるようになるので、利用者に対するサービスを向上できる。
【発明を実施するための最良の形態】
【００２５】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係るエリア限定放送システム１の構成を示す図である。
エリア限定放送システム１は、テーマパークに設置され、１つの放送波送出装置１０と５つの提供装置としての無線通信装置２０〜２４とを備える。
【００２６】
放送波送出装置１０は、デジタル放送を行うものであり、この放送波送出装置１０の第１エリアとしての放送サービスエリア１０Ａは、テーマパーク全体を含んでおり、例えば半径５００ｍ程度である。
【００２７】
無線通信装置２０〜２４の無線方式は、例えば２．４ＧＨｚ帯の近距離無線(ＢｌｕｅｔｏｏｔｈやＺｉｇｂｅｅ)である。これら無線通信装置２０〜２４の第２エリアとしての通信カバーエリア２０Ａ〜２４Ａは、放送波送出装置１０の放送サービスエリア１０Ａ内でかつ放送サービスエリア１０Ａより狭く、例えば半径２０ｍ程度である。
なお、無線通信装置２０〜２４の通信カバーエリア２０Ａ〜２４Ａは、放送波送出装置１０の放送サービスエリア１０Ａに重なっていればよく、通信カバーエリア２０Ａ〜２４Ａの全てが放送サービスエリア１０Ａ内である必要はない。
【００２８】
５つの無線通信装置２０〜２４は、通信カバーエリア２０Ａ〜２４Ａが互いに重ならないように設けられている。無線通信装置２０の通信カバーエリア２０Ａは、テーマパークの入場口を含んでいる。無線通信装置２１〜２４は、それぞれ、施設１〜４に対応して設けられ、無線通信装置２１〜２４の通信カバーエリア２１Ａ〜２４Ａは、各施設１〜４の入口を中心とする領域である。
【００２９】
放送受信装置４０は、テーマパークの入場者に携帯されている。この放送受信装置４０は、放送サービスエリア１０Ａ内において放送を視聴可能であり、また、各無線通信装置２０〜２４の通信カバーエリア２０Ａ〜２４Ａ内において、各無線通信装置２０〜２４と近距離無線通信を行うことができる。
【００３０】
よって、入場者がテーマパークの入場口を通過してテーマパーク内に入場すると、無線通信装置２０の通信カバーエリア２０Ａを通過することになる。また、入場者が各施設１〜４に接近すると、無線通信装置２１〜２４の通信カバーエリア２１Ａ〜２４Ａ内に入ることになる。
【００３１】
図２は、エリア限定放送システム１の構成を示すブロック図である。
放送波送出装置１０は、サービス情報ＤＢ０〜ＤＢ４と、各放送パラメータメモリ１１と、多重変調処理部１２と、放送用アンテナ１４が設けられた放送波送出部１３と、を備える。
【００３２】
サービス情報ＤＢ０〜ＤＢ４のうちサービス情報ＤＢ０は、入場口に関する情報を記憶しており、例えば、入退場に関する情報やテーマパーク全体の情報を記憶している。
サービス惰報ＤＢ１〜ＤＢ４は、施設１〜４に関する情報を記憶しており、例えば、施設１〜４の利用者のための施設利用情報などを記憶している。なお、これらの情報には、リアルタイム型の動画、蓄積型の動画、静止画、音声データ、テキスト、およびプログラムデータ等が含まれる。
【００３３】
各放送パラメータメモリ１１は、サービス情報ＤＢ０〜ＤＢ４に記憶された情報について、放送波名、チャンネル情報、伝送パラメータ情報、およびアプリケーション情報を記憶する。
チャンネル情報には、放送周波数、チャンネルＩＤ、およびセグメント情報などが含まれる。
伝送パラメータ情報には、モード、変調形式、およびガードインターバル情報などが含まれる。
アプリケーション情報には、エリア情報データの種別コードおよびファイルの識別コードなどが含まれる。
【００３４】
多重変調処理部１２は、サービス情報ＤＢ０〜ＤＢ４に記憶された情報に対して、必要に応じて、放送波名、チャンネル情報、伝送パラメータ情報、およびアプリケーション情報を付加したものを、入場口エリア情報および施設１〜施設４エリア情報とする。
そして、放送パラメ一タメモリ１１に記憶されたチャンネル情報および伝送パラメータ情報に基づいて、入場口エリア情報および施設１〜施設４エリア情報に対して変調処理を行い多重化する。
【００３５】
放送波送出部１３は、多重変調処理されたエリア情報を、各放送パラメータメモリ１１に記憶された周波数に変換し、放送用アンテナ１４を介して送出する。
【００３６】
図３は、放送波送出装置１０の放送方式の概略を示す図である。
放送波送出装置１０の放送方式は、地上波デジタル放送（ＩＳＤＢ−Ｔ方式）を応用した方式であり、１つのチャンネルに割り当てられた周波数帯域を１３のセグメントに分割し、各セグメントを利用して、１つの入場口または施設についてのエリア情報を放送する。
例えば、図３では、セグメント１〜４を利用して施設１〜施設４エリア情報が送出され、セグメント７を利用して入場口エリア情報が送出される。
【００３７】
図２に戻って、無線通信装置２０〜２４は、受信パラメータメモリ３１と、無線通信用アンテナ３３が設けられた無線通信部３２と、これらを制御する制御部３４と、を備える。
【００３８】
受信パラメータメモリ３１は、入場口エリア情報および施設１〜施設４エリア情報に対応した受信パラメータＰ０〜Ｐ４を記憶する。これら受信パラメータＰ０〜Ｐ４は、それぞれ、受信パラメータＡおよび受信パラメータＢで構成される。
【００３９】
受信パラメータＡは、無線通信装置２０〜２４の無線識別情報や、無線通信装置２０〜２４が設置された入場口や施設１〜４の施設名称などの情報である。
【００４０】
受信パラメータＢは、放送波名、チャンネル情報、伝送パラメータ情報、およびアプリケーション情報などのエリア情報の受信および視聴に必要な情報である。このエリア情報の受信および視聴に必要な情報は、有線、無線、またはパッケージメディアなどを介して、放送波送出装置の各放送パラメータメモリ１１より取得される。
【００４１】
無線通信部３２は、無線通信用アンテナ３３を介して、電波の送受信を行う。
制御部３４は、無線通信部により、受信パラメータメモリ３１に記憶した受信パラメータＰ０〜Ｐ４を、放送受信装置４０に送出する。また、必要に応じて、放送受信装置４０より受信応答信号などの情報を受信する。
【００４２】
放送受信装置４０は、無線通信用アンテナ５６が設けられた無線通信部４１と、受信パラメータメモリ４２と、放送用アンテナ４４が設けられた放送受信部４３と、表示部４５と、音声出力部４６と、データ保存メモリ４７と、キー入力部４８と、これらを制御する制御部４９と、を備える。
【００４３】
無線通信部４１は、無線通信用アンテナ５６を介して、無線通信装置２０〜２４から送出された受信パラメータＰ０〜Ｐ４を受信する。また、必要に応じて、受信応答信号を無線通信装置２０〜２４に送出する。
受信パラメータメモリ４２は、無線通信部４１で受信した受信パラメータＰ０〜Ｐ４を記憶する。
【００４４】
放送受信部４３は、放送用アンテナ４４を介して、放送波送出装置１０から送出されたエリア情報を受信して、復調する。
その後、エリア情報に含まれるデータのデータ形式別に処理を行う。例えば、データがリアルタイム動画データである場合には、表示部に出力し、音声データである場合には音声出力部に出力し、蓄積型の動画データ、静止画、およびテキスト等のデータならびにプログラムデータである場合には、データ保存メモリ４７に出力する。
【００４５】
データ保存メモリ４７は、蓄積型の動画、静止画、およびテキストなど、データやファイルを記憶する。
制御部４９は、受信パラメータメモリ４２に記憶された受信パラメータＰ０〜Ｐ４を解読処理する。また、利用者がキー入力部４８を操作すると、キー入力部からこのキー操作情報を取得して解読処理する。さらに、放送受信部４３の電源を制御する機能、所定の周波数を選局する機能、伝送パラメータを設定する機能、データ保存メモリに記憶されたデータやファイルを表示部や音声出力部に出力する機能を有する。また、取得したプログラムデータに基づいて動作する。
【００４６】
よって、制御部４９は、受信パラメータメモリ４２に記憶された受信パラメータＰ０〜Ｐ４を解読し、この解読した受信パラメータＰ０〜Ｐ４に基づいて、エリア情報が放送中である旨を表示部４５や音声出力部４６により利用者に告知するとともに、自動的に放送受信部４３をオン状態として、エリア情報が放送される周波数を選局して、エリア情報を利用者に視聴させる。
また、利用者のキー操作を受けて、放送受信部４３をオン状態としてもよい。
【００４７】
図４は、無線通信装置２０〜２４と放送受信装置４０との送受信のタイミングチャートである。
無線通信装置２０〜２４は、１００ｍｍＳｅｃおきに受信パラメータＰを繰り返し送出し、送出していない期間は、放送受信装置からの電波を受信可能な状態となっている。
【００４８】
放送受信装置４０は、無線通信部４１の電源がオンされた状態では、１Ｓｅｃおきに１００ｍｍＳｅｃの期間に亘って無線通信装置２０〜２４からの受信パラメータＰを受信可能な状態にあり、この受信可能な状態では、各無線通信装置からの受信パラメータＰを検索している。放送受信装置４０は、無線通信装置２０〜２４からの電波を受信すると、無線通信装置２０〜２４に対して受信応答信号を返信する。なお、本実施形態では、受信応答信号を返信したが、これに限らず、受信応答信号を返信しないようにしてもよい。この受信応答信号には、受信したことを了解する信号（ＡＣＫ）や放送受信装置の識別信号が含まれる。
【００４９】
例えば、利用者が施設１に近づいて、無線通信装置２１の通信カバーエリア２１Ａ内に入ると、放送受信装置４０の１００ｍｍＳｅｃの期間に亘る受信可能状態において、受信パラメータＰ１を受信する。
【００５０】
図５は、エリア限定放送システム１のメッセージシーケンスチャートである。
放送受信装置を携帯する利用者が、テーマパークの入場口を通過して、施設１に接近する場合について、説明する。
【００５１】
放送波送出装置１０は、無線通信装置２０、２１に受信パラメータＰ０、Ｐ１を伝送するとともに、入場口エリア情報および施設１〜施設４エリア情報を常時放送している（ＳＡ１１）。
無線通信装置２０は、放送波送出装置１０から受信パラメータＰ０を受信して、この受信した受信パラメータＰ０を常時送出している（ＳＢ１１）。
無線通信装置２１は、放送波送出装置１０から受信パラメータＰ１を受信して、この受信した受信パラメータＰ１を常時送出している（ＳＣ１１）。
【００５２】
放送受信装置４０は、無線通信部４１の電源がオン状態であり、上述の各無線通信装置２０〜２４からの受信パラメータＰ０〜Ｐ４を検索している。また、放送受信部４３の電源はオフ状態である（Ｓ１１）。
【００５３】
Ｓ１２では、放送受信装置４０を携帯する利用者が入場口を通過する。すると、この放送受信装置４０が無線通信装置２０の通信カバーエリア２０Ａに入る。
Ｓ１３では、放送受信装置４０は、各無線通信装置２０〜２４からの受信パラメータＰ０〜Ｐ４を検索し、受信パラメータＰ０〜Ｐ４を検出したか否かを判定する。この判定がＮＯの場合には、Ｓ１２に戻り、ＹＥＳの場合には、Ｓ１４に移る。
ここでは、無線通信装置２０から受信パラメータＰ０を受信するため、無線通信装置２０に対して受信応答信号を返信し、Ｓ１４に移る。
【００５４】
Ｓ１４では、放送受信装置４０は、受信パラメータＰ０を記憶する。
Ｓ１５では、放送受信装置４０は、制御部４９により受信パラメータＰ０を解読し、この解読した受信パラメータＰ０に基づいて、入場口エリア情報が放送中である旨を表示部４５や音声出力部４６により利用者に告知するとともに、自動的に放送受信部４３をオン状態として、入場口エリア情報が放送される周波数を選局する。
なお、放送受信部４３は、入場口エリア情報が放送中である旨を利用者が認識し、その認識に基づいて利用者がキー操作することによって、オン状態としてもよい。
【００５５】
Ｓ１６では、放送波送出装置１０から送出された放送を受信して復調し、利用者は入場口エリア情報を視聴する。
【００５６】
Ｓ１７では、放送受信装置４０を携帯する利用者が施設１に接近する。すると、この放送受信装置４０が無線通信装置２１の通信カバーエリア２１Ａに入る。
Ｓ１８では、放送受信装置４０は、各無線通信装置２０〜２４からの受信パラメータＰ０〜Ｐ４を検索し、受信パラメータＰ０〜Ｐ４を検出したか否かを判定する。この判定がＮＯの場合には、Ｓ１７に戻り、ＹＥＳの場合には、Ｓ１９に移る。
ここでは、無線通信装置２１から受信パラメータＰ１を受信するため、無線通信装置２１に対して受信応答信号を返信し、Ｓ１９に移る。
【００５７】
Ｓ１９では、放送受信装置４０は、受信パラメータＰ１を記憶する。
Ｓ２０では、放送受信装置４０は、制御部４９により受信パラメータＰ１を解読し、この解読した受信パラメータＰ１に基づいて、施設１エリア情報が放送中である旨を表示部４５や音声出力部４６により利用者に告知するとともに、自動的に放送受信部４３をオン状態として、施設１エリア情報が放送される周波数を選局する。
なお、放送受信部４３は、施設１エリア情報が放送中である旨を利用者が認識し、その認識に基づいて利用者がキー操作することによって、オン状態としてもよい。
【００５８】
Ｓ２１では、放送波送出装置１０から送出された放送を受信して復調し、利用者は施設１エリア情報を視聴する。
【００５９】
本実施形態によれば、以下のような効果がある。
（１）放送波送出装置１０、放送受信装置４０に加え、近距離無線通信を行う無線通信装置２０〜２４を設け、さらに、放送受信装置４０に近距離通信機能を設けた。これにより、利用者にエリア情報が放送中であることを告知できるうえに、自動的に放送受信装置４０の放送受信部４３の電源をオンして、エリア情報が放送される周波数のサーチ操作を行わなくても、自動でエリア情報の放送を受信できる。
よって、エリア限定放送の利用者を増加できるとともに、利用者にエリア情報を迅速に視聴させることができる。その結果、利用者は視聴したエリア情報に基づいて行動できるようになるので、利用者に対するサービスを向上できる。
例えば、各施設の説明や各施設の混雑状況などの施設に関する情報を利用者に提供すれば、利用者は、いずれの施設をどのような順番で利用すべきかを判断できる。
【００６０】
（２）無線通信装置２０〜２４を複数設けたので、利用者が第１エリア内を移動して第２エリアに入る毎に、その第２エリアのエリア情報が放送される周波数のサーチ操作を行わなくても、自動で放送を受信して、利用者が属する第２エリアのエリア情報を視聴させることができる。
また、利用者が施設を利用するための順番待ちをしている間、その施設に関する情報を視聴させることにより、利用者を退屈させないで順番待ちをさせることができる。
【００６１】
（３）地上波デジタル放送のＩＳＤＢ−Ｔ方式（リアルタイム型）のワンセグ放送を利用したので、既存の放送波送出装置および放送受信装置の構造を大幅に変更することなく実現できる。
【００６２】
〔第２実施形態〕
本実施形態のエリア限定放送システム１Ａでは、提供装置として、無線通信装置の代わりに２次元バーコードが設けられている点、および、放送受信装置の構成が、第１実施形態と異なり、その他の構成は第１実施形態と同様である。
【００６３】
図６は、２次元バーコード５０を示す図である。
２次元バーコード５０は、光学的に読み取り可能な符号であり、入場口および施設１〜４の周辺に掲示されている。この２次元バーコード５０には、それぞれ、受信パラメータＰ０〜Ｐ４が記録されている。これら受信パラメータＰ０〜Ｐ４は、それぞれ、受信パラメータＡおよび受信パラメータＢで構成される。
【００６４】
受信パラメータＡは、入場口や施設１〜４の識別情報や施設名称などの情報である。
受信パラメータＢは、放送波名、チャンネル情報、伝送パラメータ情報、およびアプリケーション情報などのエリア情報の受信および視聴に必要な情報である。
【００６５】
図７は、放送受信装置４０Ａの外観を示す図である。図８は、放送受信装置４０Ａの構成を示すブロック図である。
放送受信装置４０Ａは、無線通信部の代わりに、カメラ撮像部５２が設けられた撮像処理部５１を備えている。
【００６６】
利用者がキー操作により２次元バーコード撮影モードに設定した上で、カメラ撮像部５２を２次元バーコードに向け、キー入力部４８に設けられたシャッターキーを押下すると、撮像処理部５１は、カメラ撮像部５２を介して、２次元バーコード５０の画像を取り込んで、静止画像に変換し、データ保存メモリ４７に記憶する。
【００６７】
制御部４９は、２次元バーコードの解読処理機能を有しており、データ保存メモリ４７に記憶された２次元バーコード５０の画像を解読し、受信パラメータＰ０〜Ｐ４を抽出して、受信パラメータメモリ４２に保存する。
【００６８】
本実施形態によれば、以下のような効果がある。
（４）２次元バーコード５０に受信パラメータＰ０〜Ｐ４を記録し、放送受信装置４０Ａにカメラ撮像部５２が設けられた撮像処理部５１を設けた。よって、２次元バーコード５０を掲示するだけでよいので、無線通信装置を設置する場合に比べて、施設の運営費用を大幅に削減できる。
また、地上波デジタル放送の受信機能とカメラ機能とを備える携帯電話を用いて、この携帯電話の機能を一部変更するだけでよいので、エリア限定放送システムの普及を促進できる。
【００６９】
〔第３実施形態〕
本実施形態では、放送波送出装置の構成が第１実施形態と異なり、その他の構成は第１実施形態と同様である。
【００７０】
図９は、エリア限定放送システム１Ｂの構成を示すブロック図である。
エリア限定放送システム１Ｂは、放送波送出装置１０Ｂの構成、および、放送受信装置４０Ｂの構成が、第１実施形態と異なる。
【００７１】
すなわち、放送波送出装置１０Ｂは、サービス情報ＤＢ０〜ＤＢ４、各放送パラメータメモリ１１、多重変調処理部１２、および放送波送出部１３に加えて、入場予約時刻設定部１５およびデータ放送情報ＤＢ０ｄを備える。
【００７２】
入場予約時刻設定部１５は、施設ごとに入場可能な時刻を入場予約時刻として設定し、さらに、この入場予約時刻を時刻情報に基づいて適宜更新する。
例えば、利用者がデータ放送を受信した時刻が１０：１０であったとすると、それから１時間以上経過した３０分間、例えば１１：３０〜１２：００を入場予約時刻として設定する。
【００７３】
データ放送情報ＤＢ０ｄは、各施設１〜４の施設予約に関する施設予約情報や施設説明に関する施設説明情報をデータ放送のための情報として記憶している。施設予約情報には、入場予約時刻設定部１５で設定された入場予約時刻が含まれる。
また、このデータ放送情報ＤＢ０ｄは、入場予約時刻設定部１５で設定された入場予約時刻に従って、施設予約情報を定期的に書き換える。
【００７４】
データ放送は、ＩＳＤＢ−Ｔ方式で規定されており、動画データや音声データと併せて１つの放送に多重することができ、ＨＴＭＬに類似するＢＭＬ（Ｂｌｏａｄｃａｓｔ  Ｍａｒｋｕｐ  Ｌａｎｇｕａｇｅ）で記述されている。データ放送によれば、テキストを中心とした画面を表示したり、簡単なプログラム（スクリプト）を埋め込んで動作させたり、静止画像を貼り付けたり、リンク機能を持たせたりできる。データ放送は、例えば１０秒程度の周期で繰り返し放送されており、利用者は、データ放送を１０秒以上受信することで、データ放送を視聴できる。
【００７５】
多重変調処理部１２Ｂは、サービス情報ＤＢ０に記憶された情報に対して、データ放送情報ＤＢ０ｄに記憶された施設予約情報および施設説明情報を付加したものを、入場口エリア情報とする。
サービス情報ＤＢ１〜ＤＢ４に記憶された情報に対して、必要に応じて、放送波名、チャンネル情報、伝送パラメータ情報、およびアプリケーション情報を付加したものを、施設１〜施設４エリア情報とする。
そして、放送パラメ一タメモリ１１に記憶されたチャンネル情報および伝送パラメータ情報に基づいて、入場口エリア情報および施設１〜施設４エリア情報に対して変調処理を行い多重化する。
【００７６】
放送受信装置４０Ｂは、第１実施形態の放送受信装置４０の構成に加えて、データ放送保存メモリ５３を備える。
データ放送保存メモリ５３は、利用者の予約が完了したことを示す施設予約済画像と、予約された施設名と施設予約情報へのリンク情報を含む施設予約情報データと、を記憶する。
【００７７】
図１０は、エリア限定放送システム１Ｂのメッセージシーケンスチャートである。
図１０のＳＡ３１、ＳＢ３１、ＳＣ３１、Ｓ３１〜Ｓ３５は、図５のＳＡ１１、ＳＢ１１、ＳＣ１１、Ｓ１１〜Ｓ１５と同様である。
Ｓ３６では、放送波送出装置１０Ｂから送出された放送を受信して復調し、利用者は入場口エリア情報を視聴する。また、データ放送画面に施設情報が表示され、利用者は、施設１を予約する。
【００７８】
具体的には、まず、図１１（ａ）に示すように、画面の下半分のデータ放送画面に施設予約画面が表示されるので、施設予約を選択する。すると、図１１（ｂ）に示すように、施設予約画面が表示されるので、施設１を選択する。すると図１１（ｃ）に示すように、施設１の予約画面が表示されるので、予約する、を選択する。すると、図１１（ｄ）に示すように、全画面に施設１の施設予約済画像が表示される。
【００７９】
Ｓ３７では、施設１についての施設予約済画像と施設予約情報データがデータ放送保存メモリに記憶される。
Ｓ３８では、放送受信装置４０Ｂを携帯する利用者が、施設予約した時刻に、施設１に接近する。すると、この放送受信装置４０が無線通信装置２１の通信カバーエリア２１Ａに入る。
Ｓ３９では、放送受信装置４０Ｂは、各無線通信装置２０〜２４からの受信パラメータＰ０〜Ｐ４を検索し、受信パラメータＰ０〜Ｐ４を検出したか否かを判定する。この判定がＮＯの場合には、Ｓ８に戻り、ＹＥＳの場合には、Ｓ１０に移る。
ここでは、無線通信装置２１から受信パラメータＰ１を受信するため、無線通信装置２１に対して受信応答信号を返信し、Ｓ９に移る。
【００８０】
Ｓ４０では、放送受信装置４０Ｂは、受信パラメータＰ０、Ｐ１を記憶する。
Ｓ４１では、放送受信装置４０Ｂは、制御部４９により受信パラメータＰ１を解読し、この解読した受信パラメータＰ１に基づいて、入場口エリア情報および施設１エリア情報が放送中である旨を表示部４５や音声出力部４６により利用者に告知するとともに、自動的に放送受信部４３をオン状態として、入場口エリア情報が放送される周波数を選局する。
なお、放送受信部４３は、入場口エリア情報が放送中である旨を利用者が認識し、その認識に基づいて利用者がキー操作することによって、オン状態としてもよい。
【００８１】
Ｓ４２では、放送波送出装置１０から送出された放送を受信して復調し、利用者は入場口エリア情報を視聴する。
また、データ放送画面を開いて施設情報を表示させ、施設１についての施設予約済画像を呼び出して、施設１の係員に提示することにより、優先的に入場する。
【００８２】
具体的には、まず、図１２（ａ）に示すように、画面の下半分のデータ放送画面に施設予約画面が表示されるので、予約閲覧を選択する。すると、図１２（ｂ）に示すように、予約閲覧画面が表示されるので、施設１予約済を選択する。すると図１２（ｃ）に示すように、全画面に施設１の施設予約済画像が表示される。
【００８３】
本実施形態によれば、以下のような効果がある。
（５）放送波に施設予約可能なデータ放送を多重化したので、利用者は、データ放送を視ることにより、施設を簡単に予約できる。また、利用者は、放送受信装置４０Ｂに記憶した施設予約済画像を表示して、予約した時刻に、予約した施設に赴くことにより、待ち行列に並ぶことなく、円滑に入場できる。
【００８４】
〔第４実施形態〕
本実施形態では、放送波送出装置１０Ｃの構成、無線通信装置２０Ｃ〜２４Ｃの構成、および、放送受信装置４０Ｃの構成が第１実施形態と異なる。
【００８５】
図１３は、エリア限定放送システム１Ｃの構成を示すブロック図である。
放送波送出装置１０Ｃは、サービス情報ＤＢ０〜ＤＢ４、および放送波送出部１３に加えて、会員サービス情報ＤＢ５、会員情報ＤＢ、および、会員情報判定部１７を備える。
また、各放送パラメータメモリの代わりに、各放送パラメータおよびスクランブル情報メモリ１１Ｃを備え、多重変調処理部の代わりに、多重変調およびスクランブル処理部１２Ｃを備える。
【００８６】
会員サービス情報ＤＢ５は、会員特典情報など、会員のためにテーマパーク全体のエリアで利用するために放送される情報を会員サービス情報として記憶する。
【００８７】
会員情報ＤＢは、会員情報を記憶する。会員情報は、氏名や会員ＩＤや放送受信装置固有のＩＤを含む会員特定情報と、来園回数、各無線通信装置２０Ｃ〜２４Ｃとの通信回数、および各エリア情報の視聴回数等を含む会員利用情報と、で構成される。
会員特定惰報は、利用者の入会時など、事前に会員情報ＤＢに登録される。会員利用情報は、無線通信装置２０Ｃ〜２４Ｃを介して、利用者の放送受信装置４０Ｃと通信することにより更新される。
【００８８】
会員情報判定部１７は、無線通信装置２０Ｃ〜２４Ｃと有線または無線により接続されており、無線通信装置２０Ｃ〜２４Ｃを介して、利用者の放送受信装置４０Ｃと交信する。そして、会員情報ＤＢ内の会員特定情報と、利用者の放送受信装置４０Ｃに記憶された会員特定情報と、を照合し、会員情報の正否を判定する。また、利用者の放送受信装置４０Ｃに記憶された会員利用情報に基づいて、会員情報ＤＢに記憶した会員利用情報を更新する。
【００８９】
各放送バラメータおよびスクランブル情報メモリ１１Ｃは、第１実施形態の放送パラメータメモリ１１と同様の機能に加えて、さらに、スクランブル処理のためのスクランブル鍵情報を記憶する。
【００９０】
多重変調およびスクランブル処理部１２Ｃは、会員サービス情報ＤＢ５に記憶された会員サービス情報に対して、スクランブル鍵情報を使ってスクランブル処理を行った後、入場口エリア情報および施設１〜施設４エリア情報に付加する。その後、第１実施形態の多重変調処理部と同様の処理を行う。
つまり、本実施形態では、会員サービス情報ＤＢ５に記憶された情報に対してのみ、スクランブル処理を行い、サービス情報ＤＢ０〜４に記憶された情報については、スクランブル処理を行わない。
【００９１】
無線通信装置２０Ｃ〜２４Ｃは、受信パラメータメモリ３１の代わりに、受信パラメータおよびスクランブル情報メモリ３１Ｃを備える。
受信パラメータおよびスクランブル情報メモリ３１Ｃは、第１実施形態の受信パラメータメモリ３１と同様の機能に加えて、さらに、スクランブル処理のスクランブル処理のためのスクランブル鍵情報を記憶する。
【００９２】
制御部３４Ｃは、受信パラメータおよびスクランブル情報メモリ３１Ｃに記憶した受信パラメータＰ０〜Ｐ４に加えて、スクランブル鍵情報を放送受信装置４０Ｃに送出する。また、放送受信装置４０Ｃより会員情報を受信した場合は、これを放送波送出装置１０Ｃに転送する。
【００９３】
放送受信装置４０Ｃは、第１実施形態の放送受信装置４０の構成に加えて、会員専用情報メモリ５４、およびスクランブル解除部５５を備える。
【００９４】
会員専用情報メモリ５４は、会員情報およびスクランブル鍵情報を記憶する。このスクランブル鍵情報は、必要に応じて無線通信装置２０Ｃ〜２４Ｃから受信する。会員情報の会員利用情報は、無線通信装置２０Ｃ〜２４Ｃと交信した際や放送を視聴した際にカウントアップされる。
【００９５】
スクランブル解除部５５は、スクランブル放送を受信した場合、放送受信部４３が復調した後のスクランブルデータに対して、会員専用情報メモリ５４に記憶されたスクランブル鍵情報に基づいて、スクランブル解除を行う。
【００９６】
図１４は、エリア限定放送システム１Ｃのメッセージシーケンスチャートである。
放送波送出装置１０Ｃは、放送受信装置４０Ｃの利用者の会員情報を、会員情報ＤＢに記憶しているものとする。また、無線通信装置２０Ｃに受信パラメータＰ０、Ｐ５を伝送し、無線通信装置２１Ｃに受信パラメータＰ１を伝送するとともに、入場口エリア情報および施設１〜施設４エリア情報を常時放送している（ＳＡ５１）。
【００９７】
無線通信装置２０Ｃは、放送波送出装置１０から受信パラメータＰ０、Ｐ５を受信して、この受信した受信パラメータＰ０を常時送出している（ＳＢ５１）。また、受信パラメータＰ５およびスクランブル鍵情報を記憶する。
無線通信装置２１Ｃは、放送波送出装置１０から受信パラメータＰ１を受信して、この受信した受信パラメータＰ１を常時送出している（ＳＣ５１）。
【００９８】
放送受信装置４０Ｃは、利用者の会員情報を会員専用情報メモリ５４に記憶しているものとする。また、無線通信部４１の電源がオン状態であり、上述の各無線通信装置２０Ｃ〜２４からの受信パラメータＰ０〜Ｐ４を検索している。さらに、放送受信部４３の電源はオフ状態である（Ｓ５１）。
【００９９】
Ｓ５２では、放送受信装置４０Ｃを携帯する利用者が入場口を通過する。すると、この放送受信装置４０Ｃが無線通信装置２０Ｃの通信カバーエリア２０Ａに入る。
【０１００】
Ｓ５３では、放送受信装置４０Ｃは、各無線通信装置２０Ｃ〜２４Ｃからの受信パラメータＰ０〜Ｐ４を検索し、受信パラメータＰ０〜Ｐ４を検出したか否かを判定する。この判定がＮＯの場合には、Ｓ５２に戻り、ＹＥＳの場合には、Ｓ５４に移る。
放送受信装置４０Ｃは、無線通信装置２０Ｃから受信パラメータＰ０を受信するため、無線通信装置２０Ｃに対して受信応答信号を返信するとともに、会員専用情報メモリ５４に記憶した会員情報を返信する。
【０１０１】
Ｓ５４では、放送受信装置は、受信パラメータＰ０を記憶する。
Ｓ５３において放送受信装置４０Ｃから会員情報が返信されると、無線通信装置２０Ｃは、会員情報を受信し、受信した会員情報を放送波送出装置１０Ｃに転送する。
【０１０２】
ＳＡ５２では、放送波送出装置１０Ｃは、会員情報を受信し、この会員情報の会員特定情報が会員情報ＤＢに登録されており、かつ、登録された会員特定情報に一致するか否かを判定する。この判定がＹＥＳの場合には、無線通信装置２０Ｃに会員サービス許可情報を伝送してＳＡ５３に移り、ＮＯの場合には、ＳＡ５４に移る。
ＳＡ５３では、受信した会員情報に基づいて、会員情報ＤＢの会員利用情報を更新する。
【０１０３】
ＳＡ５４では、放送波送出装置１０Ｃは、無線通信装置２０Ｃに会員サービス不可情報を伝送し、無線通信装置２０Ｃは、放送受信装置４０Ｃに会員サービス不可情報を送出する。放送受信装置４０Ｃは、会員サービス不可情報を受信し、利用者に会員サービス情報を受信できない旨を告知する。
ただし、この場合でも、放送受信装置４０Ｃは、入場口エリア情報が放送中である旨を告知するので、利用者は、会員サービス情報を視聴できないものの、入場口エリア情報を視聴できる。
【０１０４】
ＳＡ５２において放送波送出装置１０Ｃから会員サービス許可情報が伝送されると、無線通信装置２０Ｃは、会員サービス許可情報を受信し、受信パラメータおよびスクランブル情報メモリ１１Ｃに記憶されているスクランブル鍵情報および受信パラメータＰ５を、放送受信装置４０Ｃに送出する。
【０１０５】
Ｓ５５では、放送受信装置４０Ｃは、受信したスクランブル鍵情報を会員専用情報メモリ５４に記憶し、既に受信した受信パラメータＰ０とともに、受信パラメータＰ５を受信パラメータメモリに記憶する。
また、会員専用情報メモリに記憶した会員利用情報の所定の項目を更新する。ここで、所定の項目とは、例えば、テーマパークの来園回数や無線通信装置２０Ｃの利用回数である。
【０１０６】
Ｓ５６では、放送受信装置４０Ｃは、制御部４９により受信パラメータＰ０、Ｐ５を解読し、この解読した受信パラメータＰ０、Ｐ５に基づいて、入場口エリア情報が放送中である旨および会員サービス情報が受信可能である旨を表示部４５や音声出力部４６により利用者に告知する。
そして、放送受信装置４０Ｃは、自動的に放送受信部４３をオン状態として、受信パラメータＰ５に基づいて、会員専用サービス情報の周波数を選局する。
なお、放送受信部４３は、会員サービス情報が受信可能である旨を利用者が認識し、その認識に基づいて利用者がキー操作することによって、オン状態としてもよい。
【０１０７】
Ｓ５７では、放送受信装置４０Ｃは、会員サービス情報の利用回数などの会員利用情報をカウントアップする。
Ｓ５８では、放送受信装置４０Ｃは、放送波送出装置から会員サービス情報を受信して復調し、スクランブルを解除して、会員サービス情報を視聴させる。
【０１０８】
Ｓ５９では、放送受信装置４０Ｃは、自動的に放送受信部４３をオン状態として、受信パラメータＰ０に基づいて、入場口エリア情報の周波数を選局する。
なお、放送受信部４３は、入場口エリア情報が放送中である旨を利用者が認識し、その認識に基づいて利用者がキー操作することによって、オン状態としてもよい。
Ｓ６０では、放送受信装置４０Ｃは、入場口エリア情報の利用回数などの会員利用情報をカウントアップする。
Ｓ６１では、放送受信装置４０Ｃは、放送波送出装置から入場口エリア情報を受信して復調し、入場口エリア情報を視聴させる。
【０１０９】
本実施形態によれば、以下のような効果がある。
（６）利用者が会員である場合には、スクランブル鍵情報を用いて、スクランブル処理された会員サービス情報のスクランブル処理を解除できる。よって、会員専用のサービスを享受できる。
【０１１０】
なお、本発明は前記実施形態に限定されるものではなく、本発明の目的を達成できる範囲での変形、改良等は本発明に含まれるものである。
例えば、上述の各実施形態では、放送波を地上波デジタル放送としたが、これに限らない。すなわち、アナログテレビ放送や、ＦＭ音声放送等や、その他どのような形式でもよい。アナログ放送の場合、周波数チャンネルを増やすことで、多重化に対応する。また、放送の代わりに、無線ＬＡＮやＷｉＭＡＸやＷ−ＣＤＭＡなどの高速通信を利用し、ストリーミング動画や音声を配信してもよい。
各実施形態では、近距離通信方式としては、例えば、ＢｌｕｅｔｏｏｔｈやＺｉｇｂｅｅやＵＷＢが用いられるが、これらに限らず、どのような無線通信方式でもよい。また、無線通信に限らず、ＩｒＤＡなどの赤外線通信や、可視光通信などの光通信を用いてもよい。ただし、光通信の場合、光には指向性があるので、自動で受信パラメータを取得することはできない。そこで、放送受信装置に受発光部を設け、さらに施設付近に各種光通信用の受発光部を設置しておく。そして、利用者が、自ら放送受信装置の受発光部を、光通信用の受発光部に向けて、通信を行う。
【０１１１】
また、上述の各実施形態では、リアルタイム放送のみを利用したが、これに限らず、リアルタイム放送に加えて蓄積型放送を利用してもよい。
【０１１２】
図１５は、リアルタイム放送に加えて蓄積型放送を行う場合の放送方式の概略を示す図である。
リアルタイム放送に加えて蓄積型放送を行う場合、セグメント１〜７を利用してリアルタイム放送を行い、セグメント８〜１３の６セグメントを一塊として利用して蓄積型放送を行う。
ここで、セグメント１〜７については、セグメント単位で多重化した（ワンセグ）リアルタイム放送であるが、セグメント８〜１３の一塊については、１つの放送波として蓄積型データを送出する。放送波送出装置１０Ｃ内において、各エリア情報は、蓄積型データとしてファイル単位で保存されている。通常、１つのファイルに１つのエリア情報を格納するが、１つのファイルに複数のエリア情報を格納してもよい。どのファイルにどのエリア情報が格納されているかの情報は、受信パラメータＰに含まれる。放送波送出装置１０Ｃは、これらのファイルを識別するためのファイル識別コードを添付して、ファイル単位で多重化する。
【０１１３】
蓄積型放送を受信する場合、放送受信装置は、一度または何回かに分けて、全てのエリア情報を受信し、ファイル単位に分類してデータ保存メモリに記憶しておく。
その後、無線通信装置２１〜２４のうちの１つ、例えば無線通信装置２１から受信パラメータＰ１を受信すると、受信した受信パラメータＰ１のアプリケーション情報内のファイル識別コードに基づいて、記憶したファイルを検索し、施設１のエリア情報を視聴させる。
【０１１４】
このようにすれば、ファイルをデータ保存メモリに記憶させるので、利用者は、任意のファイルを、任意の時刻に最初から視聴することもできる。
また、地上波デジタル放送のＩＳＤＢ−Ｔ方式の蓄積型放送は、現在ＩＳＤＢ−Ｔファミリーとして規格化作業が進められており、近い将来発売されるであろう蓄積型対応の放送波送出装置および放送受信装置の構造を大幅に変更することなく実現できる。
【０１１５】
上述の各実施形態では、各無線通信装置により、当該無線通信装置が設置された入場口または施設１〜４の受信パラメータＰのみを送出したが、これに限らず、他の無線通信装置が設置された入場口または施設の受信パラメータを送出してもよい。
【０１１６】
この場合、例えば、放送受信装置の受信パラメータメモリに、全ての受信パラメータＢを記憶可能とする。そして、入場口に設置された無線通信装置２０から受信パラメータＰ０〜Ｐ４の中の全ての受信パラメータＢを送出する。
【０１１７】
これにより、放送受信装置が無線通信装置と通信すると、全ての受信パラメータＢが受信パラメータメモリに記憶される。その後、各無線通信装置から受信パラメータＡを受信すると、この受信パラメータＡに関連する受信パラメータＢを読み出して、この読み出した受信パラメータＢに基づいて、施設１〜４のエリア情報を利用者に視聴させる。
【０１１８】
また、例えば、入場口に設置された無線通信装置のみが全ての受信パラメータＢを送出するだけでなく、他の無線通信装置も、全ての受信パラメータＢを送出してもよい。
【０１１９】
このようにすれば、利用者は、自分がいる施設のエリア情報を視聴できるだけでなく、必要に応じて、他の施設のエリア情報も視聴できる。
【０１２０】
第２実施形態では、２次元バーコード５０に受信パラメータＰ０〜Ｐ４を記録して、この２次元バーコード５０を印刷して掲示したが、これに限らない。すなわち、情報が記録された図形なら何でもよく、例えば、１次元バーコードでもよい。また、情報が記録された図形を紙に印刷せずに、ディスプレイ等の画面上に表示してもよく、この図形を時間の経過に伴って変化させてもよい。
【０１２１】
第４実施形態では、会員サービス情報のみにスクランブル処理を行ったが、これに限らず、複数の放送波または全ての放送波にスクランブル処理を行ってもよい。また、スクランブル鍵情報を１つとしたが、これに限らず、エリア情報ごとに異なるスクランブル鍵情報を用いてもよいし、また、複数の会員種別を設けて、会員種別毎に異なるスクランブル鍵情報を利用可能としてもよい。
また、第４実施形態では、無線通信装置２０Ｃがスクランブル鍵情報を送出し、このスクランブル鍵情報を放送受信装置４０Ｃが受信する構成としたが、これに限らない。すなわち、スクランブル情報が記録された２次元バーコードを掲示するとともに、放送受信装置にカメラ撮像部を設けるそして、カメラ撮像部で２次元バーコードを撮影することにより、利用者がスクランブル情報を取得できるようにしてもよい。
【図面の簡単な説明】
【０１２２】
【図１】本発明の第１実施形態に係るエリア限定放送システムの構成を示す図である。
【図２】前記実施形態に係るエリア限定放送システムの構成を示すブロック図である。
【図３】前記実施形態に係る放送波送出装置の放送方式の概略を示す図である。
【図４】前記実施形態に係る無線通信装置と放送受信装置との送受信のタイミングチャートである。
【図５】前記実施形態に係るエリア限定放送システムのメッセージシーケンスチャートである。
【図６】本発明の第２実施形態に係るエリア限定放送システムの２次元バーコードを示す図である。
【図７】前記実施形態に係る放送受信装置の外観を示す図である。
【図８】前記実施形態に係る放送受信装置の構成を示すブロック図である。
【図９】本発明の第３実施形態に係るエリア限定放送システムの構成を示す図である。
【図１０】前記実施形態に係るエリア限定放送システムのメッセージシーケンスチャートである。
【図１１】前記実施形態に係る放送受信装置により施設を予約する手順を説明するための図である。
【図１２】前記実施形態に係る放送受信装置により施設予約画像を呼び出す手順を説明するための図である。
【図１３】前記実施形態に係るエリア限定放送システムの構成を示すブロック図である。
【図１４】前記実施形態に係るエリア限定放送システムのメッセージシーケンスチャートである。
【図１５】本発明の変形例に係る放送波送出装置の放送方式の概略を示す図である。
【符号の説明】
【０１２３】
Ｐ０〜Ｐ５            受信パラメータ
１、１Ａ、１Ｂ、１Ｃ  エリア限定放送システム
１０、１０Ｂ、１０Ｃ  放送波送出装置
１０Ａ    放送サービスエリア
１１Ｃ  各放送バラメータおよびスクランブル情報メモリ（スクランブル情報メモリ）
１２Ｃ    多重変調およびスクランブル処理部（スクランブル処理部）
１５      入場予約時刻設定部
１７      会員情報判定部
２０、２０Ｃ、２１、２１Ｃ、２４、２４Ｃ    無線通信装置（通信装置）
２０Ａ、２１Ａ、２４Ａ                      通信カバーエリア
３１Ｃ    受信パラメータおよびスクランブル情報メモリ（スクランブル情報メモリ）
４０、４０Ａ、４０Ｂ、４０Ｃ                放送受信装置
５０      ２次元バーコード
５３      データ放送保存メモリ
５４      会員専用情報メモリ
５５      スクランブル解除部
【図１】
2009171149.tif 000003
【図２】
2009171149.tif 000004
【図３】
2009171149.tif 000005
【図４】
2009171149.tif 000006
【図５】
2009171149.tif 000007
【図６】
2009171149.tif 000008
【図７】
2009171149.tif 000009
【図８】
2009171149.tif 000010
【図９】
2009171149.tif 000011
【図１０】
2009171149.tif 000012
【図１１】
2009171149.tif 000013
【図１２】
2009171149.tif 000014
【図１３】
2009171149.tif 000015
【図１４】
2009171149.tif 000016
【図１５】
2009171149.tif 000017